(57)【要約】【課題】他システムの寝台と組合わせて使用する場合でも寝台の操作性を低下させることなくＣＴ検査が可能なＸ線ＣＴ装置を提供する。【解決手段】天板８ａを有する他システムの寝台８と、この寝台８とは異なる位置の天板８ａと対向する位置に設けられて天板８ａの位置を検出する検出手段１と、この検出装置１によって天板８ａの初期状態に対する移動量検出指令を与える第一指令手段７ａと、架台３と天板８ａを初期状態と同じ位置関係となるように架台３を移動する指令を与える第二指令手段７ｂと、第一指令手段７ａによる検出手段１の検出結果を表示する表示手段とを設けた。【選択図】　　　　図１
2004016324.tif 000002
【特許請求の範囲】
【請求項１】
床面に敷設されたレール上を前後に移動可能な架台上に載置されたガントリを装備したＸ線ＣＴ装置において、天板を有する他システムの寝台と、この寝台とは異なる位置の上記天板と対向する位置に上記天板の位置を検出する検出手段を設けたことを特徴とするＸ線ＣＴ装置。
【請求項２】
請求項１記載のものにおいて、上記検出装置によって上記天板の初期状態に対する移動量検出指令を与える第一指令手段と、上記架台と上記天板を初期状態と同じ位置関係となるように上記架台を移動する指令を与える第二指令手段と、上記第一指令手段による上記検出手段の検出結果を表示する表示手段とを設けたことを特徴とするＸ線ＣＴ装置。
【発明の詳細な説明】
【０００１】
【発明が属する技術分野】
本発明は、専用寝台ではない他システムの寝台を利用して構成したＸ線ＣＴ装置に関する。
【０００２】
【従来の技術】
一般的なＸ線ＣＴ装置は、例えば特許第３２３３４２３号に記載のように寝台をＸ線ＣＴ装置システムの一部として構成し、ガントリと寝台の位置関係を同じくＸ線ＣＴ装置システムの構成の一部である架台機構制御装置により制御するようにしている。
【０００３】
【発明が解決しようとする課題】
しかしながら、このようなＸ線ＣＴ装置は、近年主流となっているＸ線ＣＴ装置と循環器検査用Ｘ線検査装置を同一室内に設置し、共用の寝台に患者を載置して両者の検査を実施する検査装置において操作性の面で問題を有する。つまり、寝台はＸ線ＣＴ装置の制御下にあるため、循環器検査用Ｘ線検査装置側から制御することができない。または、両者から寝台を制御可能にするためには制御系を切り替える切替手段が必要になり、複雑な制御方式になってしまう。しかも、Ｘ線ＣＴ装置と循環器検査用Ｘ線検査装置のメーカが異なり、異なるＸ線ＣＴ装置と寝台を組合わせる場合、制御方式がまったく異なるため寝台を両者から操作することは不可能である。
【０００４】
本発明の目的は、他システムの寝台と組合わせて使用する場合でも寝台の操作性を低下させることなくＣＴ検査が可能なＸ線ＣＴ装置を提供することにある。
【０００５】
【課題を解決するための手段】
本発明は上記目的を達成するために、床面に敷設されたレール上を前後に移動可能な架台上に載置されたガントリを装備したＸ線ＣＴ装置において、天板を有する他システムの寝台と、この寝台とは異なる位置の上記天板と対向する位置に上記天板の位置を検出する検出手段を設けたことを特徴とする。
【０００６】
本発明によるＸ線ＣＴ装置は、天板を有する他システムの寝台と、この寝台とは異なる位置の天板と対向する位置に天板の位置を検出する検出手段を設けたため、他のシステムの寝台を兼用して用いても検出手段に相当するものを寝台内に取り付けることなく、検出手段を容易に付設することができ、寝台の操作性が低下せず、かつ位置決め良好なＣＴ検査が可能となる。
【０００７】
また請求項２に記載した本発明は上記目的を達成するために、請求項１記載のものにおいて、上記検出装置によって上記天板の初期状態に対する移動量検出指令を与える第一指令手段と、上記架台と上記天板を初期状態と同じ位置関係となるように上記架台を移動する指令を与える第二指令手段と、上記第一指令手段による上記検出手段の検出結果を表示する表示手段とを設けたことを特徴とする。
【０００８】
上述した本発明によるＸ線ＣＴ装置によれば、先の効果に加えて第一指令手段を操作して初期化状態に対する天板の移動量を測定すると、この第一指令手段による検出手段の検出結果を表示手段に表示させることができ、他システムの寝台に追加した検出装置が正常に作動してこの測定が完了したことを容易に知ることができる。
【０００９】
【発明の実施の形態】
以下、本発明の実施の形態を図面に基づいて説明する。
図１は、本発明の一実施の形態によるＸ線ＣＴ装置を示す概略構成図である。床面にはレール２が付設され、このレール２に沿って架台３が移動可能に構成されている。架台３には、その上部にガントリ４が搭載され、また内部には図示を省略した架台駆動部や移動量検出部等が内蔵されている。このようなＸ線ＣＴ装置の近傍に、他システム、例えば天板８ａを有して循環器検査用Ｘ線検査装置用の寝台８が配置されており、この寝台８をＸ線ＣＴ装置の寝台としても兼用するようにしている。
【００１０】
寝台８とは異なる位置に天板８ａと対向するように反射型レーザビーム測距離器などの検出手段１が設けられ、この検出手段１のレーザビーム照射器１ａから照射したレーザー光によって天板８ａの位置を検出するようにしている。ここで検出手段１は、例えば近傍の壁面に天板８ａの後端面に直角方向後方から水平にレーザを照射するように対向して取り付けている。この検出手段１は制御器１ｂによって制御され、移動制御部５の測定値検出部５ｂによって天板８ａの位置を検出するようにしている。
【００１１】
移動制御部５には、Ｘ線ＣＴ装置の架台３あるいはガントリ４を測定値検出部５ｂの測定結果の基づいてＣＰＵ６により移動制御する移動制御部５ａを有している。このＣＰＵ６には他システムの寝台用操作手段７が接続され、この寝台用操作手段７は、検出装置１によって天板８ａの初期状態に対する移動量検出指令を与える操作ボタンとして示す第一指令手段７ａと、架台３と天板８ａを初期状態と同じ位置関係となるように架台３を移動する指令を与える操作ボタンとして示す第二指令手段７ｂと、検出装置１の測定値検出部５ｂを初期状態にリセットするリセットボタンとして示すリセット手段７ｃとを有している。
【００１２】
この寝台用操作手段７は手元スイッチとして構成しても良いし、Ｘ線ＣＴ装置の操作卓に構成したり、あるいは操作卓の表示装置にタッチスイッチとして構成しても良い。図示を省略した操作卓の表示装置は、通常のＸ線ＣＴ装置の場合と同様に構成されると共に、第一指令手段７ａによる検出手段１の検出結果を表示する表示手段を構成するようにし、また、架台３と天板８ａを初期状態と同じ位置関係となるように第二指令手段７ｂにより架台３を移動したとき、第一指令手段７ａによる検出手段１の検出結果と比較することができるように架台３の移動結果を併記する表示手段を構成するようにする。
【００１３】
次に、実際の検査時における各部の動作について説明する。
先ず、寝台８の天板８ａに患者が載っており、その前後位置は任意位置にあるとする。この状態で、図示しないがガントリ４内の操作器でガントリ４をスキャノグラム開始位置まで架台３をレール２に沿って移動する。このとき、リセット手段７ｃを押してこの状態の天板８ａとガントリ４の位置関係を初期化する。その後、架台３を前後方向に移動させながらスキャノグラム撮影を実施し、ＣＴ撮影を実施する。その後、架台３を寝台８と反対方向へ移動退避し、天板８ａを前後に移動させながら循環器検査用Ｘ線検査装置でＩＶＲ等の術技を施す。このとき、天板８ａは上述の初期化した時と異なる位置にある。
【００１４】
続いて、Ｘ線ＣＴ装置を使用してＩＶＲで実施した血管塞栓等の効果確認を行なう。まず、第一指令手段７ａを操作して初期化状態に対する天板８ａの移動量を測定する。この第一指令手段７ａによる検出手段１の検出結果は上述したように表示手段に表示され、この測定が完了したことをこの表示によって知ることができる。そして、第二指令手段７ｂを操作して架台３を前後に移動させ、初期化状態と同じ天板８ａとガントリ４との位置関係にするが、このとき上述したように第二指令手段７ｂにより架台３を移動したとき、第一指令手段７ａによる検出手段１の検出結果と比較することができるように架台３の移動結果を表示手段に併記するようにしているので、これを確認できる。その後、再度スキャノグラム撮影を実施する必要なく、既に撮影したスキャノグラム像を利用してＣＴ撮影を実施する。
【００１５】
上述したＸ線ＣＴ装置は、天板８ａを有する他システムの寝台８と、この寝台８とは異なる位置の天板８ａと対向する位置に天板８ａの位置を検出する検出手段１を設けたため、他のシステムの寝台８を兼用して用いても検出手段１に相当するものを寝台８内に取り付けることなく、検出手段１を容易に付設することができ、寝台８の操作性が低下せず、かつ位置決め良好なＣＴ検査が可能となる。また、循環器検査用Ｘ線検査装置用の寝台８に限らず、他のメーカーの寝台８であっても同様であり、特にこの場合、寝台８が他メーカーのものであればそこに検出手段１に相当するものを取り付けるのは事実上不可能であるが、検出手段１を容易に付設することができる。従って、同一部屋内にＸ線ＣＴ装置を含む複数のシステムを構成した場合でも、寝台８を共用化してスペースの有効活用を図ると共に、全体を安価に構成することができる。
【００１６】
また上述したＸ線ＣＴ装置は、検出装置１によって天板８ａの初期状態に対する移動量検出指令を与える第一指令手段７ａと、架台３と天板８ａを初期状態と同じ位置関係となるように架台３を移動する指令を与える第二指令手段７ｂと、第一指令手段７ａによる検出手段１の検出結果を表示する表示手段とを設けたため、第一指令手段７ａを操作して初期化状態に対する天板８ａの移動量を測定すると、この第一指令手段７ａによる検出手段１の検出結果を表示手段に表示させることができ、他システムの寝台８に追加した検出装置１が正常に作動してこの測定が完了したことを容易に知ることができる。
【００１７】
【発明の効果】
以上説明したように本発明によるＸ線ＣＴ装置は、他システムの寝台を加工することなく検出装置を容易に付設することができ、他のシステムの寝台と組合わせても寝台の操作性を低下せず、かつ位置決め良好なＣＴ検査が可能となる。
【図面の簡単な説明】
【図１】本発明の一実施の形態によるＸ線ＣＴ装置を示す概略構成図である。
【符号の説明】
１　検出手段
３　架台
４　ガントリ
５　移動制御部
７　寝台用操作手段
７ａ　第一指令手段
７ｂ　第二指令手段
７ｃ　　リセット手段
８　寝台
８ａ　天板
【図１】
2004016324.tif 000003